(57)【要約】【課題】ユーザーを待たせることなく情報を提示できるダッシュボードシステムの提供。【解決手段】ネットワーク接続された、ダッシュボードサーバーとパーソナルコンピューターとを含むダッシュボードシステムであって、ダッシュボードサーバーは、記憶部と、パーソナルコンピューターと通信可能な通信部と、パーソナルコンピューターを用いてダッシュボードサーバーにアクセスするユーザーを認証するユーザー認証部と、ユーザーのダッシュボードサーバーへのアクセス履歴を管理するアクセス履歴管理部と、アクセス履歴に基づいて、ユーザーのダッシュボードサーバーへ次のアクセスを予測するアクセス予測部と、予測された次のアクセスに備えて、記憶部に記憶されたデータベースから取得した未編集の情報を編集し、ダッシュボード画面としてユーザーに編集された情報を提示する情報作成提示部とを備える。【選択図】図４
2017228181.tif 000002
【特許請求の範囲】
【請求項１】
ネットワーク接続された、ダッシュボードサーバーとパーソナルコンピューターとを含むダッシュボードシステムであって、
前記ダッシュボードサーバーは、
記憶部と、
前記パーソナルコンピューターと通信可能な通信部と、
前記パーソナルコンピューターを用いて前記ダッシュボードサーバーにアクセスするユーザーを認証するユーザー認証部と、
前記ユーザーの前記ダッシュボードサーバーへのアクセス履歴を管理するアクセス履歴管理部と、
前記アクセス履歴に基づいて、前記ユーザーの前記ダッシュボードサーバーへ次のアクセスを予測するアクセス予測部と、
予測された前記次のアクセスに備えて、前記記憶部に記憶されたデータベースから取得した未編集の情報を編集し、ダッシュボード画面として前記ユーザーに編集された情報を提示する情報作成提示部と
を備えた
ダッシュボードシステム。
【請求項２】
ネットワーク接続された、ダッシュボードサーバーとパーソナルコンピューターとを含むダッシュボードシステムであって、
前記ダッシュボードサーバーは、
記憶部と、
前記パーソナルコンピューターと通信可能な通信部と、
前記パーソナルコンピューターを用いて前記ダッシュボードサーバーにアクセスするユーザーを認証するユーザー認証部と、
予め定められた優先順位に基づいて、前記記憶部に記憶されたデータベースから取得した未編集の情報を編集し、ダッシュボード画面として前記ユーザーに編集された情報を提示する情報作成提示部と
を備えた
ダッシュボードシステム。
【請求項３】
請求項２に記載のダッシュボードシステムであって、
前記ダッシュボードサーバーは、
前記ダッシュボード画面上の前記編集された情報を前記ユーザーが操作したとき、前記ユーザーの操作を操作頻度ログとして記憶部に記憶させる操作頻度ログ管理部
を更に備え、
前記情報作成提示部は、
前記操作頻度ログに基づいて、操作された回数の多い前記編集された情報ほど優先順位を高くして、前記未編集の情報の編集と、前記編集された情報の提示を行う
ダッシュボードシステム。
【請求項４】
ネットワーク接続された、ダッシュボードサーバーとパーソナルコンピューターとを含むダッシュボードシステムにおける情報提示方法であって、
前記ダッシュボードサーバーのユーザー認証部が、前記パーソナルコンピューターを用いて前記ダッシュボードサーバーにアクセスするユーザーを認証し、
前記ダッシュボードサーバーのアクセス履歴管理部が、前記ユーザーの前記ダッシュボードサーバーへのアクセス履歴を管理し、
前記ダッシュボードサーバーのアクセス予測部が、前記アクセス履歴に基づいて、前記ユーザーの前記ダッシュボードサーバーへ次のアクセスを予測し、
前記ダッシュボードサーバーの情報作成提示部が、予測された前記次のアクセスに備えて、記憶部に記憶されたデータベースから取得した未編集の情報を編集し、ダッシュボード画面として前記ユーザーに編集された情報を提示する
情報提示方法。
【請求項５】
ネットワーク接続された、ダッシュボードサーバーとパーソナルコンピューターとを含むダッシュボードシステムにおける情報提示方法であって、
前記ダッシュボードサーバーのユーザー認証部が、前記パーソナルコンピューターを用いて前記ダッシュボードサーバーにアクセスするユーザーを認証し、
前記ダッシュボードサーバーの情報作成提示部が、予め定められた優先順位に基づいて、前記記憶部に記憶されたデータベースから取得した未編集の情報を編集し、ダッシュボード画面として前記ユーザーに編集された情報を提示する
情報提示方法。
【発明の詳細な説明】
【技術分野】
【０００１】
本発明は、ユーザーに複数の情報源からの情報を提示するダッシュボードシステムおよび情報提示方法に関する。
【背景技術】
【０００２】
ユーザーに対し、多くの情報源から得られたデータをユーザー所望のフォーマットに編集して情報を一目で把握できるように提示する、ダッシュボードシステムというものがある（例えば特許文献１参照）。
【先行技術文献】
【特許文献】
【０００３】
【特許文献１】特開２００９−１９９５９８号公報
【発明の概要】
【発明が解決しようとする課題】
【０００４】
しかし、ダッシュボードシステムでは、ユーザーに対しダッシュボードシステムで提示する情報を複数の情報源から取得しなければならず、取得に時間がかかるため、ユーザーの所望する情報をダッシュボードの画面経由でユーザーに提示するまでに時間がかかってしまうという問題点があった。
【０００５】
以上のような事情に鑑み、本発明の目的は、ユーザーを待たせることなく情報を提示できるダッシュボードシステムおよび情報提示方法を提供することにある。
【課題を解決するための手段】
【０００６】
上記目的を達成するため、本発明の一形態に係るダッシュボードシステムは、ネットワーク接続された、ダッシュボードサーバーとパーソナルコンピューターとを含むダッシュボードシステムであって、前記ダッシュボードサーバーは、記憶部と、前記パーソナルコンピューターと通信可能な通信部と、前記パーソナルコンピューターを用いて前記ダッシュボードサーバーにアクセスするユーザーを認証するユーザー認証部と、前記ユーザーの前記ダッシュボードサーバーへのアクセス履歴を管理するアクセス履歴管理部と、前記アクセス履歴に基づいて、前記ユーザーの前記ダッシュボードサーバーへ次のアクセスを予測するアクセス予測部と、予測された前記次のアクセスに備えて、前記記憶部に記憶されたデータベースから取得した未編集の情報を編集し、ダッシュボード画面として前記ユーザーに編集された情報を提示する情報作成提示部とを備える。そのため、ユーザーを待たせることなく情報を提示できる。
【０００７】
上記目的を達成するため、本発明の一形態に係るダッシュボードシステムは、ネットワーク接続された、ダッシュボードサーバーとパーソナルコンピューターとを含むダッシュボードシステムであって、前記ダッシュボードサーバーは、記憶部と、前記パーソナルコンピューターと通信可能な通信部と、前記パーソナルコンピューターを用いて前記ダッシュボードサーバーにアクセスするユーザーを認証するユーザー認証部と、予め定められた優先順位に基づいて、前記記憶部に記憶されたデータベースから取得した未編集の情報を編集し、ダッシュボード画面として前記ユーザーに編集された情報を提示する情報作成提示部とを備える。そのため、ユーザーを待たせることなく情報を提示できる。
【０００８】
上記目的を達成するため、本発明の一形態に係るダッシュボードシステムでは、前記ダッシュボードサーバーは、前記ダッシュボード画面上の前記編集された情報を前記ユーザーが操作したとき、前記ユーザーの操作を操作頻度ログとして記憶部に記憶させる操作頻度ログ管理部を更に備え、前記情報作成提示部は、前記操作頻度ログに基づいて、操作された回数の多い前記編集された情報ほど優先順位を高くして、前記未編集の情報の編集と、前記編集された情報の提示を行う構成でもよい。
【０００９】
上記目的を達成するため、本発明の一形態に係る情報提示方法は、ネットワーク接続された、ダッシュボードサーバーとパーソナルコンピューターとを含むダッシュボードシステムにおける情報提示方法であって、前記ダッシュボードサーバーのユーザー認証部が、前記パーソナルコンピューターを用いて前記ダッシュボードサーバーにアクセスするユーザーを認証し、前記ダッシュボードサーバーのアクセス履歴管理部が、前記ユーザーの前記ダッシュボードサーバーへのアクセス履歴を管理し、前記ダッシュボードサーバーのアクセス予測部が、前記アクセス履歴に基づいて、前記ユーザーの前記ダッシュボードサーバーへ次のアクセスを予測し、前記ダッシュボードサーバーの情報作成提示部が、予測された前記次のアクセスに備えて、記憶部に記憶されたデータベースから取得した未編集の情報を編集し、ダッシュボード画面として前記ユーザーに編集された情報を提示する。
【００１０】
上記目的を達成するため、本発明の一形態に係る情報提示方法は、ネットワーク接続された、ダッシュボードサーバーとパーソナルコンピューターとを含むダッシュボードシステムにおける情報提示方法であって、前記ダッシュボードサーバーのユーザー認証部が、前記パーソナルコンピューターを用いて前記ダッシュボードサーバーにアクセスするユーザーを認証し、前記ダッシュボードサーバーの情報作成提示部が、予め定められた優先順位に基づいて、前記記憶部に記憶されたデータベースから取得した未編集の情報を編集し、ダッシュボード画面として前記ユーザーに編集された情報を提示する。
【発明の効果】
【００１１】
以上のように、本発明によれば、ユーザーを待たせることなく情報を提示できる。
【図面の簡単な説明】
【００１２】
【図１】本発明の第１の実施形態に係るダッシュボードシステム１の全体構成図である。
【図２】ダッシュボードシステム１において、ＰＣ２０のディスプレイ上でユーザーに提示されるダッシュボード画面の例を示す図である。
【図３】ダッシュボードサーバー１０が一般的なコンピューターにより構成される場合の構成図である。
【図４】ダッシュボードシステム１における処理の流れについて説明するためのフローチャートである。
【図５】第２の実施形態に係るダッシュボードサーバー１０Ｂの構成図である。
【図６】ダッシュボードシステム１Ｂにおける処理の流れについて説明するためのフローチャートである。
【発明を実施するための形態】
【００１３】
以下、図面を参照しながら、本発明の実施形態を説明する。
＜第１の実施形態＞
【００１４】
［全体構成］
最初に、本発明の第１の実施形態に係るダッシュボードシステムの全体構成を説明する。図１は、本発明の第１の実施形態に係るダッシュボードシステム１の全体構成図である。
【００１５】
ダッシュボードシステム１は、加工する前の情報が蓄積されたデータベース１７ａを備えたダッシュボードサーバー１０と、ダッシュボードの画面を閲覧する各ユーザーのＰＣ（Personal Computer）とが、ネットワークを介して接続されて構成される。
【００１６】
ダッシュボードサーバー１０は、データベース１７ａから取得した情報をユーザー毎にカスタマイズして編集し、編集された情報を、ダッシュボード画面としてＰＣ２０経由でユーザーに提示する。
【００１７】
ＰＣ２０は、ダッシュボードサーバー１０にアクセスする際には、ダッシュボード専用のアプリケーションプログラムを用いてダッシュボードサーバー１０にアクセスする構成でもよいし、一般的なＷｅｂブラウザを用いてダッシュボードサーバー１０にアクセスする構成でもよい。
【００１８】
なお、ＰＣ２０は、一般的なコンピューターであればよいので、以下の説明では、ＰＣ２０の構成に関する説明は省略する。
【００１９】
以上、本発明の第１の実施形態に係るダッシュボードシステム１の全体構成を説明した。
【００２０】
［ダッシュボード画面例］
次に、ダッシュボードシステム１において、ＰＣ２０のディスプレイ上でユーザーに提示されるダッシュボード画面の例を説明する。図２は、ダッシュボードシステム１において、ＰＣ２０のディスプレイ上でユーザーに提示されるダッシュボード画面の例を示す図である。
【００２１】
図２の例では、画面の左上に、扇型のグラフＧ１が提示され、画面の右上に円グラフＧ２が提示され、画面下側に棒グラフおよび折線グラフＧ３が提示されている。これらのグラフは、あるユーザーのためにカスタマイズされたものであり、異なるユーザーであれば、提示されるグラフや表が異なってもよい。
【００２２】
なお、これら提示される情報（グラフ、表など）は、上記の説明ではダッシュボードサーバー１０が備えるデータベース１７ａから取得した情報を編集する事により得られるものとしたが、この構成に限らず、ダッシュボードシステム１の外部のサーバー等から取得した情報を提示するものであってもよい。
【００２３】
提示されるグラフは、ユーザーの操作によりグラフの種類が変更できたり、グラフの縮尺が変更できたりするものであってもよい。
【００２４】
提示される表は、例えばユーザーが利用するデバイスのうち、ある属性を持つデバイスについての一覧であってもよく、一覧されたデバイスのデバイス名をクリックすると、そのデバイスに関する詳細情報が表示されるようなものであってもよい。
【００２５】
以上、ダッシュボードシステム１において、ＰＣ２０のディスプレイ上でユーザーに提示されるダッシュボード画面の例を説明した。
【００２６】
［ダッシュボードサーバーの構成］
次に、ダッシュボードサーバー１０の構成について説明する。ダッシュボードサーバー１０は、専用のハードウェアやソフトウェアにより構成されていてもよいし、一般的なコンピューターにより構成されてもよい。ダッシュボードサーバー１０が一般的なコンピューターにより構成される場合の構成図を図３に示す。
【００２７】
同図に示すように、ダッシュボードサーバー１０は、ＣＰＵ（Central Processing Unit）１１、ＲＯＭ（Read Only Memory）１２、ＲＡＭ（Random Access Memory）１３、操作入力部１４、通信部１５、表示部１６、および記憶部１７を有し、これら各ブロックがバス１８を介して接続されている。
【００２８】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００２９】
記憶部１７は、例えばＨＤＤ（Hard Disk Drive）や、フラッシュメモリー、その他の不揮発性メモリーである。記憶部１７には、ＯＳや各種アプリケーション、各種データ、データベース１７ａ、およびアクセス履歴１７ｂが記憶される。
【００３０】
データベース１７ａは、ダッシュボードの画面上でユーザーに提示されるグラフや表の元となる情報を格納したものであり、複数あってもよい。
【００３１】
アクセス履歴１７ｂは、ユーザーがダッシュボード画面を見るために、いつダッシュボードサーバー１０にアクセスしたかの履歴をユーザーごとに記録したものである。
【００３２】
通信部１５は、ＰＣ２０と情報のやりとりを行う為のネットワークと結ばれている。
【００３３】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００３４】
操作入力部１４は、例えばマウス等のポインティングデバイス、キーボード、タッチパネル、その他の操作装置である。
【００３５】
表示部１６は、例えば液晶ディスプレイ、ＥＬ（Electro-Luminescence）ディスプレイ、プラズマディスプレイ等である。
【００３６】
次に、ＣＰＵ１１においてプログラムが実行されることにより実現される機能ブロックについて説明する。
【００３７】
ダッシュボードサーバー１０のＣＰＵ１１において実現される機能ブロックは、ユーザー認証部１１ａ、アクセス履歴管理部１１ｂ、アクセス予測部１１ｃ、および情報作成提示部１１ｄである。
【００３８】
ユーザー認証部１１ａは、ＰＣ２０からダッシュボードサーバー１０にアクセスしてきたユーザーを認証する。ユーザーを認証し、区別することにより、ユーザーごとのダッシュボードサーバー１０へのアクセス履歴を作成することが出来る。
【００３９】
アクセス履歴管理部１１ｂは、ユーザーがダッシュボード画面を見るために、いつダッシュボードサーバー１０にアクセスしたかの履歴をユーザーごとに記録したり、アクセス予測部１１ｃが、各ユーザーによる次のダッシュボードサーバー１０へのアクセス日時を予測するためにアクセス履歴１７ｂを参照する際に、記憶部１７からアクセス履歴１７ｂを取得したりする。
【００４０】
アクセス予測部１１ｃは、アクセス履歴管理部１１ｂ経由で取得したアクセス履歴１７ｂに基づき、ユーザーごとの、次のアクセス日時を予測する。なお、アクセス履歴１７ｂから次のアクセス日時を予測する方法は、公知の方法を用いればよい。
【００４１】
情報作成提示部１１ｄは、データベース１７ａから、ユーザーごとに編集する前の情報を取得し、ユーザーの設定に従って情報を編集し、編集した情報（グラフ、表など）をＰＣ２０に出力する。
【００４２】
なお、情報作成提示部１１ｄは、ユーザーが実際にダッシュボードサーバー１０にアクセスした際に情報の提示を行うと共に、アクセス予測部１１ｃにより予測された日時に基づいて予め情報の編集を行い、ユーザーに提示すべき情報（グラフ、表など）を作成しておく。
【００４３】
そのため、ユーザーが実際にアクセスした際には、データベース１７ａからの情報取得に要する時間および情報編集に要する時間をかけずに、編集された情報をユーザーに提示できる。
【００４４】
以上、ダッシュボードサーバー１０の構成について説明した。
【００４５】
［処理の流れ］
次に、ダッシュボードシステム１における処理の流れについて説明する。図４は、ダッシュボードシステム１における処理の流れについて説明するためのフローチャートである。
【００４６】
まず、アクセス予測部１１ｃが、アクセス履歴管理部１１ｂから取得したアクセス履歴１７ｂに基づき、ユーザーごとのアクセス日時の予測を行う（ステップＳ１０）。
【００４７】
次に、予測されたアクセス日時に間に合うように、情報作成提示部１１ｄがデータベース１７ａから編集前の情報を取得し、編集してユーザーに提示する情報を予め作成する（ステップＳ１１）。
【００４８】
次に、ユーザーが、ダッシュボード画面に提示される情報を閲覧するために、ＰＣ２０からダッシュボードサーバー１０にアクセスする（ステップＳ１２）。
【００４９】
次に、ユーザー認証部１１ａがアクセスしてきたユーザーの認証を行う（ステップＳ１３）。
【００５０】
次に、情報作成提示部１１ｄが、予め作成されている情報のうち、アクセスしてきたユーザーに対するものをユーザーに提示する（ステップＳ１４）。
【００５１】
次に、アクセス履歴管理部１１ｂが、ユーザーのアクセス履歴１７ｂを更新する（ステップＳ１５）。
【００５２】
以上、ダッシュボードシステム１における処理の流れについて説明した。
【００５３】
以上、第１の実施形態について説明した。
【００５４】
＜第２の実施形態＞
次に、第２の実施形態について説明する。
【００５５】
［概要］
最初に概要について説明する。
【００５６】
第２の実施形態に係るダッシュボードシステム１Ｂが、第１の実施形態に係るダッシュボードシステム１と異なる点は、ユーザーに情報を提示するまでの時間を短縮するために、ダッシュボードシステム１では提示する情報を予め作成しておいたのに対し、ダッシュボードシステム１ｂでは、提示する情報に優先順位を付けて、優先順位の高い情報から提示する点である。
【００５７】
例えば、図２に示した例では、ユーザーがグラフＧ２の縮尺を変更するなど、操作を加える回数が最も多い場合、ユーザーはグラフＧ２の情報を最も利用すると見なし、３つあるグラフのうち、グラフＧ２を提示する優先順位を最も高くし、グラフＧ２の作成と提示をグラフＧ１およびＧ３より優先する。
【００５８】
なお、対象とするグラフまたは表に対する操作としては、縮尺の変更などに加えて、一覧表の中のデバイス名に対するリンクのクリックなども挙げられる。
【００５９】
なお、ダッシュボードシステム１ｂの全体構成は、ダッシュボードシステム１と同様である。
【００６０】
以上、概要について説明した。
【００６１】
［ダッシュボードサーバーの構成］
次に、第２の実施形態に係るダッシュボードサーバーの構成について説明する。図５は、第２の実施形態に係るダッシュボードサーバー１０Ｂの構成図である。
【００６２】
同図に示すように、ダッシュボードサーバー１０Ｂは、ＣＰＵ１１Ｂ、ＲＯＭ１２、ＲＡＭ１３、操作入力部１４、通信部１５、表示部１６、および記憶部１７Ｂを有し、これら各ブロックがバス１８を介して接続されている。
【００６３】
ＲＯＭ１２は、各種の処理を実行するためのファームウェア等の複数のプログラムやデータを記憶する。ＲＡＭ１３は、ＣＰＵ１１Ｂの作業用領域として用いられ、ＯＳ、実行中の各種アプリケーション、処理中の各種データを一時的に保持する。
【００６４】
記憶部１７Ｂは、例えばＨＤＤや、フラッシュメモリー、その他の不揮発性メモリーである。記憶部１７Ｂには、ＯＳや各種アプリケーション、各種データ、データベース１７ａ、および操作頻度ログ１７ｃが記憶される。
【００６５】
データベース１７ａは、ダッシュボードの画面上でユーザーに提示されるグラフや表の元となる情報を格納したものであり、複数あってもよい。
【００６６】
操作頻度ログ１７ｃは、ユーザーがダッシュボード画面内のグラフや表を操作した頻度のログである。
【００６７】
通信部１５は、ＰＣ２０と情報のやりとりを行う為のネットワークと結ばれている。
【００６８】
ＣＰＵ１１Ｂは、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００６９】
操作入力部１４は、例えばマウス等のポインティングデバイス、キーボード、タッチパネル、その他の操作装置である。
【００７０】
表示部１６は、例えば液晶ディスプレイ、ＥＬディスプレイ、プラズマディスプレイ等である。
【００７１】
次に、ＣＰＵ１１Ｂにおいてプログラムが実行されることにより実現される機能ブロックについて説明する。
【００７２】
ダッシュボードサーバー１０ＢのＣＰＵ１１において実現される機能ブロックは、ユーザー認証部１１ａ、情報作成提示部１１ｄ'、および操作頻度ログ管理部１１ｅである。
【００７３】
ユーザー認証部１１ａは、ＰＣ２０からダッシュボードサーバー１０にアクセスしてきたユーザーを認証する。ユーザーを認証し、区別することにより、ユーザーごとのダッシュボードサーバー１０へのアクセス履歴を作成することが出来る。
【００７４】
情報作成提示部１１ｄは、データベース１７ａから、ユーザーごとに編集する前の情報を取得し、ユーザーの設定に従って情報を編集し、編集した情報（グラフ、表など）をＰＣ２０に出力する。
【００７５】
なお、情報作成提示部１１ｄ'は、操作頻度ログ１７ｃに基づいて、編集しユーザーに提示する情報の優先順位付けを行い、優先順位の高い情報から編集と提示を行う。
【００７６】
そのため、ユーザーがダッシュボードサーバー１０Ｂにアクセスした際には、最も利用する情報を他の情報に優先して最短時間で提示することが出来る。
【００７７】
操作頻度ログ管理部１１ｅは、ユーザーに提示されたグラフや表などの情報が何回操作されたかのカウントを情報ごとにログとして記録する。そして、情報作成提示部１１ｄ'からの求めに応じて、記憶部１７Ｂに記憶されている操作頻度ログ１７ｃを情報作成提示部１１ｄに提供する。
【００７８】
以上、ダッシュボードサーバー１０Ｂの構成について説明した。
【００７９】
［処理の流れ］
次に、ダッシュボードシステム１Ｂにおける処理の流れについて説明する。図６は、ダッシュボードシステム１Ｂにおける処理の流れについて説明するためのフローチャートである。
【００８０】
まず、ユーザーが、ダッシュボード画面に提示される情報を閲覧するために、ＰＣ２０からダッシュボードサーバー１０Ｂにアクセスする（ステップＳ２０）。
【００８１】
次に、ユーザー認証部１１ａがアクセスしてきたユーザーの認証を行う（ステップＳ２１）。
【００８２】
次に、情報作成提示部１１ｄ'が、ユーザーに提示する情報に作成および提示の優先順位を付けるために、操作頻度ログ１７ｃを参照する（ステップＳ２２）。
【００８３】
次に、情報作成提示部１１ｄ'が、操作頻度ログ１７ｃに基づいて、最も優先順位の高い情報の編集（作成）を行う（ステップＳ２３）。
【００８４】
次に、情報作成提示部１１ｄ'は、作成した情報のＰＣ２０への出力を行う（ステップＳ２４）。
【００８５】
次に、情報作成提示部１１ｄ'は、ユーザーの指定する全ての情報の提示を完了したか否かを判断する（ステップＳ２５）。
【００８６】
まだ全ての情報を提示していない場合（ステップＳ２５のＮ）、情報作成提示部１１ｄ'は、次に優先順位の高い情報を作成する（ステップＳ２６）。そして、ステップＳ２４に戻る。
【００８７】
全ての情報の提示が完了している場合（ステップＳ２５のＹ）、次に、操作頻度ログ管理部１１ｅが、提示された各情報（グラフ、表など）に対するユーザーの操作ログを操作頻度ログ１７ｃとして収集する（ステップＳ２７）。
【００８８】
次に、操作頻度ログ管理部１１ｅが、収集した操作ログに基づいて操作頻度ログ１７ｃを更新する（ステップＳ２８）。
【００８９】
以上、ダッシュボードシステム１Ｂにおける処理の流れについて説明した。
【００９０】
以上、第２の実施形態について説明した。
【００９１】
［補足事項］
以上のように、本発明に係るダッシュボードシステム１は、ネットワーク接続された、ダッシュボードサーバー１０とパーソナルコンピューター２０とを含むダッシュボードシステムであって、前記ダッシュボードサーバー１０は、記憶部１７と、前記パーソナルコンピューター２０と通信可能な通信部１５と、前記パーソナルコンピューター２０を用いて前記ダッシュボードサーバー１０にアクセスするユーザーを認証するユーザー認証部１１ａと、前記ユーザーの前記ダッシュボードサーバー１０へのアクセス履歴１７ｂを管理するアクセス履歴管理部１１ｂと、前記アクセス履歴１７ｂに基づいて、前記ユーザーの前記ダッシュボードサーバー１０へ次のアクセスを予測するアクセス予測部１１ｃと、予測された前記次のアクセスに備えて、前記記憶部１７に記憶されたデータベース１７ａから取得した未編集の情報を編集し、ダッシュボード画面として前記ユーザーに編集された情報を提示する情報作成提示部１１ｄとを備える。
【００９２】
その他、本発明は、上述の実施形態にのみ限定されるものではなく、本発明の要旨を逸脱しない範囲内において種々変更を加え得ることは勿論である。
【符号の説明】
【００９３】
１  …  ダッシュボードシステム
１０  …  ダッシュボードサーバー
１１  …  ＣＰＵ
１１ａ…  ユーザー認証部
１１ｂ…  アクセス履歴管理部
１１ｃ…  アクセス予測部
１１ｄ、１１ｄ'…  情報作成提示部
１１ｅ…  操作頻度ログ管理部
１２  …  ＲＯＭ
１３  …  ＲＡＭ
１４  …  操作入力部
１５  …  通信部
１６  …  表示部
１７  …  記憶部
１７ａ…  データベース
１７ｂ…  アクセス履歴
１７ｃ…  操作頻度ログ
１８  …  バス
２０  …  ＰＣ
【図１】
2017228181.tif 000003
【図２】
2017228181.tif 000004
【図３】
2017228181.tif 000005
【図４】
2017228181.tif 000006
【図５】
2017228181.tif 000007
【図６】
2017228181.tif 000008